(57)【要約】【課題】最適記録パワー、発光パターン（記録パルス波形）、トラッキングオフセットやフォーカスオフセット、チルト等を効率よく学習することが可能な光情報記録再生装置を提供する。【解決手段】記録再生媒体２への情報の記録又は再生に関する条件を入力する手段と、記録又は再生に関する所定学習項目の値を予め決められた評価指標に基づいて調整する学習を行う手段とを具備する。そして、学習に先立って、所定学習項目を評価指標に基づいて学習する場合の学習条件を、入力条件に応じて切り替える。また、入力条件に対して、学習手段の学習結果に基づく記録又は再生品質で情報を記録又は再生できない場合には、入力条件に応じて再学習を行う。【選択図】図８
2009037664.tif 000002
【特許請求の範囲】
【請求項１】
光記録再生媒体に光束を照射して情報の記録又は再生を行う光情報記録再生装置において、
前記記録再生媒体への情報の記録又は再生に関する条件を入力する手段と、
記録又は再生に関する所定学習項目の値を予め決められた評価指標に基づいて調整する学習を行う手段とを備え、
前記学習手段の学習に先立って、前記所定学習項目を前記評価指標に基づいて学習する場合の学習条件を、前記入力手段から入力された条件に応じて切り替えることを特徴とする光情報記録再生装置。
【請求項２】
光記録再生媒体に光束を照射して情報の記録又は再生を行う光情報記録再生装置において、
記録又は再生に関する所定学習項目の値を予め決められた評価指標に基づいて調整する学習を行う手段と、
前記記録再生媒体への情報の記録又は再生に関する条件を入力する手段とを備え、
前記入力された条件に対して、前記学習手段の学習結果に基づく記録又は再生品質で情報を記録又は再生できない場合には、前記入力された条件に応じて再学習を行うことを特徴とする光情報記録再生装置。
【請求項３】
前記入力手段から記録又は再生に関する複数の条件が入力された場合には、前記学習項目に設定された優先順位に従って前記学習条件を決定することを特徴とする請求項１に記載の光情報記録再生装置。
【請求項４】
前記所定学習項目は、前記光記録再生媒体に記録又は再生する映像品質、前記光記録再生媒体に記録又は再生する音声品質、前記光記録再生媒体に情報を保存する保存期間、前記光記録再生媒体の互換性、前記光記録再生媒体に情報を記録又は再生を開始するまでの起動時間、前記光記録再生媒体に記録又は再生する時の耐震性、前記光記録再生媒体の媒体種別又はバッテリーの条件を示すバッテリー条件であることを特徴とする請求項１〜３のいずれか１項に記載の光情報記録再生装置。
【請求項５】
前記所定学習項目は、前記光記録再生媒体に照射する光束の記録パワー、記録パルス波形、トラッキングオフセット、フォーカスオフセット又は前記光記録再生媒体と対物レンズとのチルトであることを特徴とする請求項１〜４のいずれか１項に記載の光情報記録再生装置。
【請求項６】
前記評価指標は、再生信号のアシンメトリ、再生信号のレベルジッタ又は再生信号のエラー数であることを特徴とする請求項１〜５のいずれか１項に記載の光情報記録再生装置。
【発明の詳細な説明】
【技術分野】
【０００１】
本発明は、光ディスク等の光記録再生媒体に対して光束を照射することにより情報の記録又は再生を行う光情報記録再生装置に関するものである。
【背景技術】
【０００２】
近年、ＣＤ(Compact Disc)やＤＶＤ(Digital Versatile Disc)、更にはＢＤ(Blu-Ray Disc)やＨＤＤＶＤ(High Definition DVD)等の光記録再生媒体が出回っている。これら記録再生媒体に対して半導体レーザ等による光源から光を照射することにより情報の記録又は再生を行う光記録再生装置が急速に普及している。
【０００３】
このような光記録再生装置では、光記録再生媒体への実際の記録に先立って最適な記録条件を求めることが行われている。これは、例えば、特許文献１（特開２００５−１００５５８号公報）に記載されている。
【０００４】
従来から広く知られている光記録再生媒体は図１９に示すように内周側から外周側に向かってＰＣＡ（Power Calibration Area）１０１、ＰＭＡ（Program Management Area）１０２を有する。また、リードインエリア１０３、データエリア１０４、リードアウトエリア１０５からなる領域を有している。
【０００５】
従来は、ＰＣＡ１０１に所定のテスト記録を行った後、ＰＣＡ１０１よりテスト記録された情報を再生する。そして、再生信号のアシンメトリβが、規定のアシンメトリβTargetを含む所定範囲に収まるように記録パワーを調整するＯＰＣ（Optimum Power Control）が行われている。
【０００６】
図２０は従来のＯＰＣ動作を説明するフローチャートである。まず、光記録再生媒体に予め記録されている媒体識別情報及び過去のＯＰＣ履歴情報等から今回記録を行う光記録再生媒体に応じた目標アシンメトリ値βTarget及び記録パワーの初期値Ｐｗ１を決定する（Ｓ１０１）。次いで、初期値Ｐｗ１を用いて１回目のテスト記録を行い、その後、テスト記録された情報を再生し、第一の評価アシンメトリ値β1を算出する（Ｓ１０２）。評価アシンメトリ値β１が許容範囲である時、最適記録パワーの調整が終了する（Ｓ１０３、１０４）。
【０００７】
第一の評価アシンメトリ値β１が許容範囲でない時、二回目のテスト記録として記録パワーの初期値Ｐｗ１に所定値Δｐを加算した第二の記録パワー値Ｐｗ２を用いて二回目のテスト記録を行う。その後、同様にテスト記録された情報を再生し、第二の評価アシンメトリ値β２を算出する（Ｓ１０５、Ｓ１０６）。二回目の評価アシンメトリ値β２が許容範囲であれば最適記録パワーの調整が終了する（Ｓ１０７、Ｓ１０４）。
【０００８】
二回目の評価アシンメトリ値β２が許容範囲でない時、三回目のテスト記録として、式（Ａ）によって第三の記録パワー値Ｐｗ３を算出する（Ｓ１０８）。その際、記録パワーの初期値Ｐｗ１及び第一の評価アシンメトリ値β１と、記録パワー値Ｐｗ２及び第二の評価アシンメトリ値β２と、目標アシンメトリ値βTargetに基づき第三の記録パワー値Ｐｗ３を算出する（Ｓ１０８）。式（Ａ）は次の通りである。
【０００９】
Ｐｗ３＝（Ｐｗ２−Ｐｗ１）×（βTarget−β１）÷（β２−β１）＋Ｐｗ１
続いて、第三の記録パワー値Ｐｗ３を用いて三回目のテスト記録を行い、テスト記録された情報を再生し、第三の評価アシンメトリ値β３を算出する（Ｓ１０９）。三回目の評価アシンメトリ値β３が許容範囲である時、最適記録パワーの調整を終了する（Ｓ１１０、Ｓ１０４）。
【００１０】
更に、三回目の評価アシンメトリ値β３が許容範囲でない時には、二回目及び三回目のテスト記録を流用するために、Ｐｗ２をＰｗ１、Ｐｗ３をＰｗ２、β２をβ１、β３をβ２に置き換える（Ｓ１１１）。その後、Ｓ１０８からの処理を繰り返すことで最適記録パワー値を算出する。
【特許文献１】特開２００５−１００５５８号公報
【発明の開示】
【発明が解決しようとする課題】
【００１１】
従来のＯＰＣ動作では、テスト記録を行った結果得られた評価アシンメトリ値が、目標アシンメトリ値βTargetを含めた所定範囲内に収まらなければ、繰り返しテスト記録を行う必要がある。つまり、記録パワーの初期値Ｐｗ１が、求めるべき最適記録パワーと比べてかけ離れた値である場合には、テスト記録の回数が増加してしまい、光記録再生媒体に設けられているＰＣＡ領域を多大に消費する。
【００１２】
また、ＯＰＣ動作の回数が増加すると、例えば、バッテリー駆動をするような光記録再生装置においてはバッテリーを浪費してしまう。つまり、バッテリーの浪費により光記録再生装置の記録／又は再生時間が減少してしまう。更に、ＯＰＣ動作を実行している間は実際の記録／又は再生が出来ないため、ユーザによる記録／又は再生が阻害されるという課題があった。
【００１３】
本発明の目的は、最適記録パワー、発光パターン（記録パルス波形）、トラッキングオフセットやフォーカスオフセット或いはチルト等の学習項目を効率よく学習することが可能な光情報記録再生装置を提供することにある。
【課題を解決するための手段】
【００１４】
本発明は、記録再生媒体への情報の記録又は再生に関する条件を入力する手段と、記録又は再生に関する所定学習項目の値を予め決められた評価指標に基づいて調整する学習を行う手段とを具備する。そして、学習手段の学習に先立って、所定学習項目を前記評価指標に基づいて学習する場合の学習条件を、入力条件に応じて切り替える。
【００１５】
また、本発明は、記録又は再生に関する所定学習項目の値を予め決められた評価指標に基づいて調整する学習を行う手段と、記録再生媒体への情報の記録又は再生に関する条件を入力する手段とを具備する。そして、入力された条件に対して、学習手段の学習結果に基づく記録又は再生品質で情報を記録又は再生できない場合には、入力された条件に応じて再学習を行う。
【発明の効果】
【００１６】
本発明によれば、所定学習項目を学習する場合の評価指標の許容範囲を入力条件に応じて切り替えることにより、学習動作に費やされる時間やＯＰＣ領域或いはバッテリーの浪費を軽減することが可能となる。
【発明を実施するための最良の形態】
【００１７】
次に、発明を実施するための最良の形態について図面を参照して詳細に説明する。
【００１８】
（装置構成の説明）
図１は本発明に係る光情報記録再生装置の一実施形態を示すブロック図である。なお、図１では光記録再生媒体に情報を記録するのに必要な回路、情報を再生するのに必要な回路、トラッキングやフォーカスサーボを行うサーボ制御回路、光記録再生媒体を回転駆動する回路や機構等については省略している。
【００１９】
光情報記録再生装置１は光ディスク等の光記録再生媒体２に対して情報の記録又は再生を行うための光ピックアップユニット３(以下ＰＫＵＰ)を有する。また、ＰＫＵＰ３から得られる信号のアナログ処理を行うアナログフロントエンド４(以下ＡＦＥ)、ＡＦＥ４で得られた信号に各種デジタル信号処理を行うデジタルシグナルプロセッサ５(以下ＤＳＰ)を有する。更に、装置１のユーザインターフェースとなる液晶６、装置全体を制御するＣＰＵ７等で構成されている。
【００２０】
（光記録再生媒体の説明）
光記録再生媒体２は、図１９で説明したように内周側から外周側に向かってPower Calibration Area（ＰＣＡ）１０１、Program Management Area（ＰＭＡ）１０２を有する。また、リードインエリア１０３、データエリア１０４、リードアウトエリア１０５を備えている。
【００２１】
ＰＣＡ１０１は実際の記録に先立って最適記録パワーや最適記録パルス波形、更には最適フォーカスオフセットや最適トラッキングオフセット、チルト条件等を求めるためのテスト記録に用いられる。リードインエリア１０３及びリードアウト１０５はデータエリア１０４を保護するものである。ユーザが情報の記録又は再生に用いることができるのはデータエリア１０４である。
【００２２】
（ＰＫＵＰ３の説明）
図２はＰＫＵＰ３の一例を示す。ＰＫＵＰ３には対物レンズ３０１、ビームスプリッター３０２、半導体レーザ３０３、半導体レーザ駆動回路３０４、分割センサ３０５等が組み込まれている。ＰＫＵＰ３は不図示のスレッド機構の駆動により光記録再生媒体２の最内周から最外周に渡って移動する。
【００２３】
半導体レーザ３０３は半導体レーザ駆動回路３０４から所定の電流供給を受けて、再生ビームや記録ビームを出力する。再生ビームや記録ビームはビームスプリッター３０２及び対物レンズ３０１を介して光記録再生媒体２に照射される。
【００２４】
図３（ａ）は対物レンズ３０１を真上から見た模式図であり、一組のトラッキングコイル３０６によってＰＫＵＰ３上に対物レンズ３０１が支持されている。トラッキングコイル３０６の電流は、対物レンズ３０１から照射される光ビームが光記録再生媒体２の情報トラック上を適切に追従するように制御される。
【００２５】
図３（ｂ）は対物レンズ３０１を横から見た模式図であり、フォーカスコイル３０７Ａ及び３０７Ｂによってトラッキングコイル３０６と共にＰＫＵＰ３上に対物レンズ３０１が支持されている。フォーカスコイル３０７Ａ及び３０７Ｂに流す電流は、対物レンズ３０１からの光ビームが、光記録再生媒体２の記録再生層に適切に集光するように制御される。また、フォーカスコイル３０７Ａ及び３０７Ｂは光記録再生媒体２の情報トラックと直交する位置に設けられている。
【００２６】
ここで、フォーカスコイル３０７Ａ及び３０７Ｂに同じ量の駆動電流を流した場合、対物レンズ３０１はＰＫＵＰ３に対して並行に上下動させることができる。更に、フォーカスコイル３０７Ａ及び３０７Ｂに駆動電流を異ならせて流した場合、対物レンズ３０１はＰＫＵＰ３に対して傾かせて上下動させることができる。つまり、光記録再生媒体２の記録再生層に対して対物レンズ３０１をチルトさせることが可能である。
【００２７】
対物レンズ３０１によって光記録再生媒体２に照射された再生ビームや記録ビームは、その一部が記録再生層によって反射され、対物レンズ３０１及びビームスプリッター３０２を介して分割センサ３０５に入射する。分割センサ３０５にて図４に示すように電気信号ＰＤ＿Ａ／ＰＤ＿Ｂ／ＰＤ＿Ｃ及びＰＤ＿Ｄに変換され、後段のＡＦＥ４にて所望の処理が行われる。
【００２８】
（ＡＦＥ４の説明）
ＡＦＥ４は図４に示すように分割センサ３０５からの電気信号ＰＤ＿Ａ／ＰＤ＿Ｂ／ＰＤ＿Ｃ及びＰＤ＿Ｄに対して演算を行う。この演算によりトラッキングエラー信号、フォーカスエラー信号、再生信号が得られる。
【００２９】
まず、対物レンズ３０１により照射される光を光記録再生媒体２の情報トラック上に追従させるためのトラッキングエラー信号ＴＥを生成するには、トラックの接線方向に分割されたセンサ出力の差分として求めるプッシュプル法が公知である。トラッキングエラー信号ＴＥは、
ＴＥ＝（ＰＤ＿Ａ＋ＰＤ＿Ｄ）−（ＰＤ＿Ｂ＋ＰＤ＿Ｃ）
で得られる。
【００３０】
次に、対物レンズ３０１から光ビームを光記録再生媒体２の情報トラック上に合焦させるためのフォーカスエラー信号ＦＥを生成するには、分割されたセンサ出力の対角和の差分として求める非点収差法が公知である。フォーカスエラー信号ＦＥは、
ＦＥ＝（ＰＤ＿Ａ＋ＰＤ＿Ｃ）−（ＰＤ＿Ｂ＋ＰＤ＿Ｄ）
で得られる。
【００３１】
次に、再生信号ＲＦは光記録再生媒体２の情報トラックから反射された信号成分を全て加算することにより得られる。再生信号ＲＦは、
ＲＦ＝ＰＤ＿Ａ＋ＰＤ＿Ｂ＋ＰＤ＿Ｃ＋ＰＤ＿Ｄ
で得られる。これらの演算結果であるＴＥ信号、ＦＥ信号及びＲＦ信号はＤＳＰ５へ送られる。
【００３２】
（ＤＳＰ５の説明）
図５はＤＳＰ５の一例を示す。ＤＳＰ５はＴＥ信号、ＦＥ信号及びＲＦ信号を受けて対物レンズ３０１のトラッキング制御、フォーカス制御並びにチルト制御を行う。ＡＦＥ４から出力されるＴＥ信号はＡＤ変換器５０１によりデジタル信号に変換される。その後、位相補償部５０２及びゲイン調整部５０３によりトラッキングコイルの特性等を考慮した演算処理がなされ、ＰＷＭ５０４からトラッキングコイル３０６を駆動するパルス信号を出力することで対物レンズ３０１のトラッキング制御を行う。
【００３３】
これと同時にＡＦＥ４から出力されるＲＦ信号はＡＤ変換器５０９によりデジタル信号に変換され、ＲＦ信号の振幅レベルを振幅測定部５１０で測定する。その際、図６（ａ）に示すように対物レンズ３０１から光記録再生媒体２に照射する光ビームの情報トラックからのずれ量に応じてＲＦ信号のレベルが変化する。
【００３４】
ＲＦ信号レベルの変化はＣＰＵ７で識別され、ＣＰＵ７からＤＳＰ５に対してそのレベル変化に応じた信号がトラッキングオフセット信号として与えられる。トラッキングオフセットはゲイン調整部５０３の出力に加算され、ＰＷＭ５０４でトラッキングコイル３０６を駆動することにより、対物レンズ３０１のトラッキングオフセットの調整を行う。
【００３５】
ＡＦＥ４から出力されるＦＥ信号は、ＡＤ変換器５０６によりデジタル信号に変換される。その後、位相補償部５０７及びゲイン調整部５０８によりフォーカスコイルの特性等を考慮した演算処理がなされる。そして、ＰＷ５１２及びＰＷＭ５１３からフォーカスコイル３０７Ａ及び３０７Ｂを駆動するパルス信号を出力することで、対物レンズ３０１のフォーカス制御を行う。
【００３６】
これと同時にＡＦＥ４から出力されるＲＦ信号はＡＤ変換器５０９によりデジタル信号に変換され、ＲＦ信号の振幅レベルを振幅測定部５１０で測定する。その際、図６（ｂ）に示すように対物レンズ３０１から光記録再生媒体２に照射する光ビームの情報記録面からのずれ量に応じてＲＦ信号のレベルが変化する。
【００３７】
ＲＦ信号レベルの変化はＣＰＵ７で識別され、そのレベル変化に応じた信号がＣＰＵ７からＤＳＰ５に対してフォーカスオフセット信号として与えられる。フォーカスオフセットはゲイン調整部５０８及びゲイン調整部５１１の出力に加算され、ＰＷＭ５１２及びＰＷＭ５１３でフォーカスコイル３０７Ａ及び３０７Ｂを駆動することにより、対物レンズ３０１のフォーカスオフセットの調整を行う。
【００３８】
更に、ＡＦＥ４から出力されるＲＦ信号はＡＤ変換器５０９によりデジタル信号に変換され、ＲＦ信号の振幅レベルを振幅測定部５１０で測定する。ＲＦ信号のレベルは図６（ｃ）に示すように対物レンズ３０１と光記録再生媒体２とのチルト状態によって変化する。ＲＦ信号レベルの変化はＣＰＵ７で識別され、ＣＰＵ７からＤＳＰ５に対してそのレベル変化に応じた信号がチルトバランス信号として与えられる。
【００３９】
チルトバランス信号はゲイン調整部５１１の出力にフォーカスオフセットと共に加算される。そして、ＰＷＭ５１３からフォーカスコイル３０７Ｂに出力するパルス信号を、ＰＷＭ５１２からフォーカスコイル３０７Ａに出力するパルス信号と異ならせることによって対物レンズ３０１のチルト調整を行う。
【００４０】
また、トラッキングオフセットの調整、フォーカスオフセットの調整及びチルト調整の順番は限定されるものではないが、よりＲＦ信号との相関の高いものから優先して調整する方が精度よく調整できることから好ましい。更に、本実施形態のトラッキングオフセット調整、フォーカスオフセット調整及びチルト調整は、詳しく後述する学習動作において目標精度を変更して行う。
【００４１】
ここで、ＤＳＰ５に入力される信号はＴＥ信号、ＦＥ信号及びＲＦ信号としたが、分割センサ３０５から出力されるＰＤ＿Ａ／ＰＤ＿Ｂ／ＰＤ＿Ｃ及びＰＤ＿Ｄであっても良い。この場合、ＡＦＥ４で行うＴＥ信号、ＦＥ信号及びＲＦ信号を求めるための演算を、ＤＳＰ５に設けられたＡＤ変換器でデジタル化した後に演算することが必要になる。
【００４２】
更に、ＲＦ信号の特性を評価する回路をＤＳＰ５に設けても良い。例えば、図５に示すアシンメトリ回路５１４やレベルジッタ回路５１５である。アシンメトリ回路５１４はＡＤ変換器５０９で量子化されたＲＦ信号の対称性を求めるものであり、図６（ｄ）に示すようにアシンメトリは記録パワーに応じて変化する。図６（ｄ）に示すように記録パワーが最適である時には、ＲＦ信号の平均レベルはＲＦ信号の最大振幅（Ａ１−Ａ２）の半分程度になる。
【００４３】
一方、記録パワーが小さい時には、図６（ｄ）に示すようにＲＦ信号の平均レベルがＲＦ信号の最大振幅（Ａ１−Ａ２）の半分よりも大きくなる。更に、記録パワーが大きい時には、ＲＦ信号の平均レベルはＲＦ信号の最大振幅（Ａ１−Ａ２）の半分よりも小さくなる。このことから、最適記録パワーを求める時にはアシンメトリに基づく評価指標Ａを用いることができる。
【００４４】
レベルジッタ回路５１５はＡＤ変換器５０９の出力をＲＦ信号のデータ識別毎にそのレベルの分散を求めるものである。例えば、ＤＶＤのように記録マーク（スペース）のエッジ位置に情報を持たせて記録する場合には、エッジ位置の時間的な揺れ（ジッタ）は再生信号のエラーに大きく寄与する。等価的には、エッジ位置のレベルの揺れ（ジッタ）は再生信号のエラーに大きく寄与する。そこで、本発明はレベルジッタ回路５１５によりエッジ位置におけるレベルのジッタを求めることで、ＲＦ信号の評価指標Ｂとして適用することができる。
【００４５】
更に、ＡＤ変換器５０９で量子化されたＲＦ信号を二値化するＰＲＭＬ回路５１６、二値化信号を復号するデコーダ５１７、復号されたデータのエラー訂正及びエラー数を求めるＥＣＣ回路５１８を備えている。本発明はＥＣＣ回路５１８からのエラー数を求めることで、ＲＦ信号の評価指標Ｃとして使用する。
【００４６】
（液晶６の説明）
次に、液晶６は図７に示すように光記録再生媒体２に記録又は再生を行う場合の条件を入力するものである。液晶６としては各種条件を表示すると共にこれら各種条件を選択可能とするためタッチパネルを兼用するのが好ましい。
【００４７】
図７に示す映像品質６０１は記録再生媒体２に記録する記録情報の品質を設定するものであり、ユーザが設定可能である。例えば、大切な記録時にはＸＰモード（きれい撮り）を設定し、日常の記録時にはＳＰモード（普通撮り）を設定する。ＬＰモードは試し撮りの際に設定する。
【００４８】
音声品質６０２は、例えば、ステレオモード、モノラルモード等のモードを設定するものである。或いは、屋外モード、室内モード等を用いて表現してもよい。音声品質６０２はユーザが決定するものであり、例えば、大切な記録時にはステレオモードを設定し、日常の記録時にはモノラルモードを設定する。別の例として、屋外等の騒音の多い環境では屋外モードに設定することでノイズ抑圧を行う。
【００４９】
保存期間６０３は、記録再生媒体２のデータ保存期間を設定するものであり、例えば、一ヶ月、一年、永久等複数の期間を設定可能である。その他、ユーザが具体的な期間を指定するものでも良いし、何年ぐらいと感覚的な指定であっても良い。
【００５０】
互換性６０４は、光記録再生媒体の互換性を設定するものである。例えば、自己録再のみ、通常互換、完全互換等の複数のモードを設定可能である。ユーザは記録する情報の可搬性に応じて互換性６０４を設定でき、他の光情報記録再生装置での追加記録又は再生を行わない場合には自己録再を選択する。また、他の多くの光記録再生装置での追加記録又は再生を十分に保証したい場合には完全互換を選択する。
【００５１】
起動時間６０５は、装置の記録又は再生を開始するまでの起動時間を設定するものであり、例えば、最速、普通及び安心モードを設定可能である。これは、ユーザの利便性に応じて設定する。最速モードは装置の起動を速く設定するモード、普通モードは通常の起動時間、安心モードは十分長い起動時間を設定するモードである。安心モードは記録又は再生を開始するまでの起動時間が長い代わりに学習動作等を含んで十分に長い起動時間を確保するものである。光情報記録再生装置１は起動時間６０５の設定に応じて光記録再生媒体２への記録又は再生の設定を簡略化する動作をする。
【００５２】
耐震性６０６は、装置の耐震性を設定するものであり、例えば、スポーツ、普通、定点モードを設定可能である。ユーザが激しい動作を伴って記録を行う場合にはスポーツモードに設定し、三脚等に固定して動く被写体等の記録を行う場合には定点モードに設定する。通常の使用時には普通モードを設定する。
【００５３】
媒体種別６０７は、記録再生媒体の種別を設定するものであり、例えば、廉価、普通、重ね撮り及び古い媒体等の複数のモードを設定可能である。ユーザが記録に用いる光記録再生媒体に応じて設定可能であり、廉価媒体が選択された場合には光情報記録再生装置１は廉価な光記録再生媒体２への記録又は再生動作を試みる。
【００５４】
別の例として、重ね撮り及び古い媒体等が選択された場合には、光情報記録再生装置１は重ね撮り及び古い光記録再生媒体２を初期化（消去）した後に処理する。普通は通常の媒体を使用する時に設定する。
【００５５】
バッテリー条件６０８は、節電モード、通常モード及びＡＣモードの複数のモードが設定可能である。ＡＣモードは装置をＡＣアダプタに接続して使用するモード、節電モードは装置を節電しながら使用するモードである。通常モードは通常の状態のモードである。バッテリー条件６０８に応じて適切な省電力化を図り、装置稼働時間を延命するために用いられる。
【００５６】
（ＣＰＵ７の説明）
ＣＰＵ７は液晶６に設けられた光記録再生媒体２に記録を行う条件入力を受けて、光情報記録再生装置１の全体を制御する。また、ＣＰＵ７は装置内の各部を制御し、光記録再生媒体２に情報の記録又は再生を行う。
【００５７】
（全体動作の説明）
本発明に係るＣＰＵ７が行う代表的な制御フローについて図８を用いて説明する。図８において、まず、電源がＯＮされると（Ｓ８０１）、ＣＰＵ７の不揮発性メモリに記憶してある映像品質６０１、音声品質６０２、保存期間６０３、互換性６０４等を初期条件として読み出す。また、起動時間６０５、耐震性６０６、媒体種別６０７、バッテリー条件６０８等を初期条件として読み出す（Ｓ８０２）。
【００５８】
続いて、液晶６に映像品質６０１、音声品質６０２、保存期間６０３、互換性６０４、起動時間６０５、耐震性６０６及び媒体種別６０７、バッテリー条件６０８等の設定入力画面（図７）を表示する（Ｓ８０３）。ユーザは液晶６に表示された設定入力画面を見ながら自己の嗜好等に合わせて各種設定の変更を行う（Ｓ８０４）。各種設定の変更があった場合には（Ｓ８０５がＹｅｓ）、Ｓ８０６で設定変更保存を行う。
【００５９】
即ち、変更された映像品質６０１、音声品質６０２、保存期間６０３、互換性６０４、起動時間６０５、耐震性６０６、媒体種別６０７、バッテリー条件６０８等をＣＰＵ７の不揮発性メモリに記憶させておく。更に、幾つかの設定パターンを不揮発性メモリに記憶させておくとより好ましい。
【００６０】
次に、設定された条件によって光記録再生媒体２に記録又は再生するための記録学習条件を決定する（Ｓ８０７）。学習条件の決定方法は後述するが、学習条件とは、学習動作を実行する時に用いる評価指標に適用する目標範囲のことをいう。即ち、ＤＳＰ５で得られるＲＦ信号を評価するためのアシンメトリ（評価指標Ａ）、レベルジッタ（評価指標Ｂ）或いはエラー数（評価指標Ｃ）等の目標範囲である。別の例として、学習動作を実行するのに許容する時間であっても良い。
【００６１】
学習条件を決定すると、例えば、光記録再生媒体２に最適な記録ができるように最適記録パワーを決定する学習動作を行う（Ｓ８０８）。本発明においては、ＤＳＰ５で得られるＲＦ信号を評価するためのアシンメトリ（評価指標Ａ）、レベルジッタ（評価指標Ｂ）或いはエラー数（評価指標Ｃ）等を用いることで効率よく実行する。本実施形態では最適記録パワーを決定する学習動作をアシンメトリ（評価指標Ａ）βTargetを用いて行う場合を取り上げて説明する。
【００６２】
具体的には、光記録再生媒体２に設けられたＰＣＡ１０１に第一の記録パワーでテスト記録を行った後、ＰＣＡ１０１よりテスト記録された情報を再生する（図１８参照）。その際、再生信号のアシンメトリβがＤＳＰ５によって求められる。アシンメトリβが先に決定されているβTargetの目標範囲に収まっている場合には、第一の記録パワーを最適記録パワーとして決定する。
【００６３】
一方、アシンメトリβが先に決定されているβTargetの目標範囲に収まっていない場合には、第一の記録パワーを所定量変化させて再度テスト記録を行う。例えば、５％増加させた第二の記録パワーで、光記録再生媒体２のＰＣＡ１０１に第二の記録パワーでテスト記録を行う。
【００６４】
続いて、ＰＣＡ１０１よりテスト記録された情報を再生し、第二のアシンメトリβ２がＤＳＰ５によって求められる。その際、アシンメトリβ２が先に決定されているβTargetの目標範囲に収まっている場合には、第二の記録パワーを最適記録パワーとして決定する。このようにアシンメトリβが先に決定されているβTargetの目標範囲に収まるまで、記録パワーを調整しながら最適記録パワーを検索する。
【００６５】
学習動作としては、最適記録パワーに限定されるものではなく、その他にも光記録再生媒体２へ記録する時に用いる記録パルス波形（発光パターン）を学習しても良い。更に、光記録再生媒体２に対物レンズ３０１を用いて集光する場合のトラッキングオフセットやフォーカスオフセットを学習しても良い。
【００６６】
即ち、ＤＳＰ５で得られるアシンメトリ（評価指標Ａ）、レベルジッタ（評価指標Ｂ）或いはエラー数（評価指標Ｃ）等を用いてトラッキングオフセットやフォーカスオフセットを最適条件とする学習を行っても良い。
【００６７】
また、本発明のように対物レンズ３０１をフォーカスコイル３０７Ａ及び３０７Ｂを用いて駆動する場合には、光記録再生媒体２に対する対物レンズ３０１の傾きを表すチルトを学習することも可能である。即ち、ＤＳＰ５で得られるアシンメトリ（評価指標Ａ）、レベルジッタ（評価指標Ｂ）或いはエラー数（評価指標Ｃ）等を用いてチルトを最適条件とする学習を行っても良い。
【００６８】
学習条件に基づいて最適記録パワー、記録パルス形状或いはトラッキングオフセット、フォーカスオフセットやチルト等に関して最適条件を決定すると、ユーザが記録を行えるスタンバイ状態で待機する（Ｓ８０９）。
【００６９】
（学習条件の決定）
次に、学習動作に先立って行う学習条件の決定方法（図８のＳ８０７）を図７及び図９〜図１６を用いて詳細に説明する。図９は映像品質６０１に基づいて決定する学習条件の決定方法を示すものである。
【００７０】
まず、ユーザにより液晶６に表示された映像品質６０１からモードが選択されると（Ｓ９０１）、ＣＰＵ７はそのモードを認識する。例えば、図７に示すように映像品質６０１としてＸＰモード（きれい撮り）が選択されると（Ｓ９０２がＹｅｓ）、ＣＰＵ７は光記録再生媒体２に記録するための条件を厳しく設定する。具体的には、記録するための条件学習において許容するアシンメトリ（評価指標Ａ）の許容範囲を小さくすることで、最適記録パワーの決定を精度良く行うようにする（Ｓ９０３）。
【００７１】
つまり、許容するアシンメトリ（評価指標Ａ）の範囲を小さくすることで、光記録再生媒体２のＰＣＡ１０１でのテスト記録を繰り返し行い、高精度な最適記録パワーを求めるようにする。
【００７２】
これとは逆に、画像品質６０１としてＬＰモード（試し撮り）が選択されると（Ｓ９０４がＹｅｓ）、ＣＰＵ７は光記録再生媒体２に記録するための条件を緩く設定する。具体的には、記録するための条件学習において許容するアシンメトリ（評価指標Ａ）の許容範囲を大きくすることで、最適記録パワーの決定を簡潔に行うようにする（Ｓ９０５）。
【００７３】
つまり、許容するアシンメトリ（評価指標Ａ）の範囲を大きくすることで、光記録再生媒体２のＰＣＡ１０１でのテスト記録を最小限、例えば、一回にとどめて記録パワーを求めるようにする。そのため学習動作に費やされる時間やＯＰＣ領域及びバッテリーの浪費を軽減することが可能となる。
【００７４】
また、映像品質６０１としてＳＰモード（普通撮り）が選択された場合には（Ｓ９０４がＮｏ）、記録に必要な学習条件を標準値に設定し（Ｓ９０６）、映像品質６０１に基づく学習条件の決定を終了する。標準値としては、例えば、アシンメトリ（評価指標Ａ）等の評価指標の標準範囲を予め設定しておく。
【００７５】
なお、許容するアシンメトリ（評価指標Ａ）等の許容範囲を小さくする、或いは大きくするとは、予めその許容範囲を設定しておくものである。以下の学習条件決定においても同様である。
【００７６】
同様にトラッキングオフセット、フォーカスオフセット或いはチルト等の学習を行う場合にも、許容するアシンメトリ（評価指標Ａ）の範囲を変えることで、高精度な学習又は簡潔な学習を行うようにする。もちろん、条件学習にはレベルジッタ（評価指標Ｂ）やエラー数（評価指標Ｃ）等を用いても良い。
【００７７】
以下、音声品質、保存期間、互換性、起動時間、耐震性、媒体種別、バッテリー条件に関して学習条件の決定方法を説明するが、基本的な決定方法は上述の映像品質の場合と全く同様である。
【００７８】
図１０は音声品質６０２に基づいて決定する学習条件の決定方法を示す。まず、ユーザにより液晶６に表示された音声品質６０２からモードが選択されると（Ｓ１００１）、ＣＰＵ７はそのモードを認識する。例えば、図７に示すように音声品質６０２としてステレオが選択されると（Ｓ１００２がＹｅｓ）、ＣＰＵ７は光記録再生媒体２に記録するための条件を厳しく設定する。
【００７９】
具体的には、記録するための条件学習において許容するアシンメトリ（評価指標Ａ）の許容範囲を小さくすることで、最適記録パワーの決定を精度良く行うようにする（Ｓ１００３）。同様にトラッキングオフセット、フォーカスオフセット或いはチルト等の学習を精度良く行うことも可能である。
【００８０】
別の例として、レベルジッタ（評価指標Ｂ）やエラー数（評価指標Ｃ）等の範囲を小さくしても良い。つまり、音声品質６０２としてステレオを設定することによって、より高精度な記録に必要な学習条件を設定する。
【００８１】
これとは逆に、音声品質６０２としてモノラルが選択されると（Ｓ１００２がＮｏ）、ＣＰＵ７は光記録再生媒体２に記録するための条件を緩く設定する。具体的には、記録するための条件学習において許容するアシンメトリ（評価指標Ａ）の許容範囲を大きくすることで、最適記録パワーの決定を簡潔に行うようにする（Ｓ１００４）。
【００８２】
同様にトラッキングオフセット、フォーカスオフセット或いはチルト等の学習を簡潔に行うことも可能である。別の例として、レベルジッタ（評価指標Ｂ）やエラー数（評価指標Ｃ）等の許容範囲を大きくしても良い。
【００８３】
つまり、音声品質６０２としてモノラルで記録すると設定することによって、記録に必要な学習条件を緩く設定し、学習条件に基づいて行う学習動作を簡潔に行うようにする。そうすることで、学習動作に費やされる時間やＯＰＣ領域或いはバッテリーの浪費を軽減することが可能となる。
【００８４】
また、後述するように音声品質６０２として、特に、ユーザの設定が無い場合には、記録に必要な学習条件を標準値に設定し、音声品質に基づく学習条件の決定を終了する。標準値としては、予めアシンメトリ（評価指標Ａ）等の評価指標の許容範囲を、標準範囲として設定しておく。
【００８５】
図１１は保存期間６０３に基づいて決定する学習条件の決定方法を示す。まず、ユーザにより液晶６に表示された保存期間６０３からモードが選択されると（Ｓ１１０１）、ＣＰＵ７はそのモードを認識する。例えば、図７に示すように保存期間６０３として永久モードが選択されると（Ｓ１１０２がＹｅｓ）、ＣＰＵ７は光記録再生媒体２に記録するための条件を厳しく設定する。
【００８６】
具体的には、記録するための条件学習において許容するアシンメトリ（評価指標Ａ）の許容範囲を小さくすることで、最適記録パワーの決定を精度良く行うようにする（Ｓ１１０３）。同様にトラッキングオフセット、フォーカスオフセット或いはチルト等の学習を精度良く行うことも可能である。
【００８７】
別の例として、レベルジッタ（評価指標Ｂ）やエラー数（評価指標Ｃ）等の範囲を小さくしても良い。つまり、保存期間６０３として永久的に記録すると設定することによってより高精度な記録に必要な学習条件を設定する。
【００８８】
これとは逆に、保存期間６０３として一ヶ月が選択されると（Ｓ１１０４がＹｅｓ）、ＣＰＵ７は光記録再生媒体２に記録するための条件を緩く設定する。具体的には、記録するための条件学習において、許容するアシンメトリ（評価指標Ａ）の許容範囲を大きくすることで、最適記録パワーの決定を簡潔に行うようにする（Ｓ１１０５）。
【００８９】
同様にトラッキングオフセット、フォーカスオフセット或いはチルト等の学習を簡潔に行うことも可能である。別の例として、レベルジッタ（評価指標Ｂ）やエラー数（評価指標Ｃ）等の許容範囲を大きくしても良い。
【００９０】
つまり、保存期間６０３として一ヶ月ぐらいは記録したいと設定することによって、記録に必要な学習条件を緩く設定し、学習条件に基づいて行う学習動作を簡潔に行うようにする。そうすることで、学習動作に費やされる時間やＯＰＣ領域或いはバッテリーの浪費を軽減することが可能となる。
【００９１】
また、保存期間６０３として一年が選択された場合には（Ｓ１１０４がＮｏ）、記録に必要な学習条件を標準値に設定し（Ｓ１１０６）、保存期間６０３に基づく学習条件の決定を終了する。標準値としては、同様に予めアシンメトリ（評価指標Ａ）等の評価指標の許容範囲を、標準範囲として設定しておく。更に、具体的な保存期間を日数や時間単位で設定し、それに応じて学習条件を決定することも可能である。
【００９２】
図１２は互換性６０４に基づいて決定する学習条件の決定方法を示す。まず、ユーザにより液晶６に表示された互換性からモードが選択されると（Ｓ１２０６）、ＣＰＵ７はそのモードを認識する。例えば、図７に示すように互換性６０４として完全互換が選択されると（Ｓ１２０２がＹｅｓ）、ＣＰＵ７は光記録再生媒体２に記録するための条件を厳しく設定する。
【００９３】
具体的には、記録するための条件学習において許容するアシンメトリ（評価指標Ａ）の許容範囲を小さくすることで、最適記録パワーの決定を精度良く行うようにする（Ｓ１１０３）。同様にトラッキングオフセット、フォーカスオフセット或いはチルト等の学習を精度良く行うことも可能である。別の例として、レベルジッタ（評価指標Ｂ）やエラー数（評価指標Ｃ）等の許容範囲を小さくしても良い。
【００９４】
つまり、互換性６０４として完全互換で記録したいと設定することによって、より高精度な記録に必要な学習条件を設定し、より多くの光情報記録再生装置との互換性を保つようにする。
【００９５】
これとは逆に、互換性６０４として自己録再が選択されると（Ｓ１２０４がＹｅｓ）、ＣＰＵ７は光記録再生媒体２に記録するための条件を緩く設定する。具体的には、記録するための条件学習において許容するアシンメトリ（評価指標Ａ）の許容範囲を大きくすることで、前記最適パワーの決定を簡潔に行うようにする（Ｓ１２０５）。
【００９６】
同様にトラッキングオフセット、フォーカスオフセット或いはチルト等の学習を簡潔に行うことも可能である。別の例として、レベルジッタ（評価指標Ｂ）やエラー数（評価指標Ｃ）等の許容範囲を大きくしても良い。
【００９７】
つまり、互換性６０４として自己録再できる程度で記録したいと設定することによって記録に必要な学習条件を緩く設定し、学習条件に基づいて行う学習動作を簡潔に行うようにする。そうすることで、学習動作に費やされる時間やＯＰＣ領域及びバッテリーの浪費を軽減することが可能となる。
【００９８】
また、互換性６０４として普通互換が選択された場合には（Ｓ１２０４がＮｏ）、記録に必要な学習条件を標準値に設定し（Ｓ１２０６）、互換性６０４に基づく学習条件の決定を終了する。標準値に設定した場合の標準的な互換性（普通互換）としては、例えば、同一メーカの光記録再生媒体での互換性に限るものや、主要メーカ間での互換性に限るもの等がある。
【００９９】
図１３は記録又は再生を開始するまでの起動時間６０５に基づいて決定する学習条件の決定方法を示す。まず、ユーザにより液晶６に表示された起動時間６０５からモードが選択されると（Ｓ１３０１）、ＣＰＵ７はそのモードを認識する。例えば、図７に示すように起動時間６０５として安心モードが選択されると（Ｓ１３０２がＹｅｓ）、ＣＰＵ７は光記録再生媒体２に記録するための条件を厳しく設定する。
【０１００】
具体的には、記録するための条件学習において許容するアシンメトリ（評価指標Ａ）の許容範囲を小さくすることで、最適記録パワーの決定を精度良く行うようにする（Ｓ１３０３）。同様にトラッキングオフセット、フォーカスオフセット或いはチルト等の学習を精度良く行うことも可能である。別の例として、レベルジッタ（評価指標Ｂ）やエラー数（評価指標Ｃ）等の許容範囲を小さくしても良い。つまり、起動時間６０５として安心を設定することによって、高精度な記録に必要な学習条件を設定する。
【０１０１】
これとは逆に、起動時間６０５として最速が選択されると（Ｓ１３０４がＹｅｓ）、ＣＰＵ７は光記録再生媒体２に記録するための条件を緩く設定する。具体的には、記録するための条件学習において許容するアシンメトリ（評価指標Ａ）の許容範囲を大きくすることで、最適記録パワーの決定を簡潔に行うようにする（Ｓ１３０５）。
【０１０２】
同様にトラッキングオフセット、フォーカスオフセット或いはチルト等の学習を簡潔に行うことも可能である。別の例として、レベルジッタ（評価指標Ｂ）やエラー数（評価指標Ｃ）等の許容範囲を大きくしても良い。
【０１０３】
つまり、起動時間６０５として最速を設定することによって、記録に必要な学習条件を緩く設定して、学習条件に基づいて行う学習動作を簡潔に行うようにする。そうすることで、学習動作に費やされる時間やＯＰＣ領域及びバッテリーの浪費を軽減することが可能となる。
【０１０４】
また、起動時間６０５として普通モードを選択することによって（Ｓ１３０４がＮｏ）記録に必要な学習条件を標準値に設定し（Ｓ１３０６）、起動時間６０５に基づく学習条件の決定を終了する。標準値としては、同様に予めアシンメトリ（評価指標Ａ）等の評価指標の許容範囲を、標準範囲として設定しておく。更に、極端な例として、最速モードが設定された場合には、記録に必要な学習を行わないようにしても良い。
【０１０５】
図１４は耐震性６０６に基づいて決定する学習条件の決定方法を示す。まず、ユーザにより液晶６に表示された耐震性６０６からモードが選択されると（Ｓ１４０１）、ＣＰＵ７はそのモードを認識する。例えば、図７に示すように耐震性６０６としてスポーツモードが選択されると（Ｓ１４０２がＹｅｓ）、ＣＰＵ７は光記録再生媒体２に記録するための条件を厳しく設定する。
【０１０６】
具体的には、記録するための条件学習において許容するアシンメトリ（評価指標Ａ）の許容範囲を小さくすることで、最適記録パワーの決定を精度良く行うようにする（Ｓ１４０３）。同様にトラッキングオフセット、フォーカスオフセット或いはチルト等の学習を精度良く行うことも可能である。別の例として、レベルジッタ（評価指標Ｂ）やエラー数（評価指標Ｃ）等の許容範囲を小さくしても良い。つまり、耐震性６０６としてスポーツモードを設定することによって、より大きな外部振動に耐えられるように高精度な記録に必要な学習条件を設定する。
【０１０７】
これとは逆に、耐震性６０６として定点モードが選択されると（Ｓ１４０４がＹｅｓ）、ＣＰＵ７は光記録再生媒体２に記録するための条件を緩く設定する。具体的には、記録条件学習において許容するアシンメトリ（評価指標Ａ）の許容範囲を大きくすることで、最適記録パワーの決定を簡潔に行うようにする（Ｓ１４０５）。
【０１０８】
同様にトラッキングオフセット、フォーカスオフセット或いはチルト等の学習を簡潔に行うことも可能である。別の例として、レベルジッタ（評価指標Ｂ）やエラー数（評価指標Ｃ）等の許容範囲を大きくしても良い。
【０１０９】
つまり、耐震性６０６として定点モードを選択することによって外部振動に対する耐性を緩め、記録に必要な学習条件を緩く設定して学習条件に基づいて行う学習動作を簡潔に行うようにする。そうすることで、学習動作に費やされる時間やＯＰＣ領域及びバッテリーの浪費を軽減するものである。
【０１１０】
また、耐震性６０６として普通モードを選択することによって（Ｓ１４０４がＮｏ）、記録に必要な学習条件を標準値に設定し（Ｓ１４０６）、耐震性６０６に基づく学習条件の決定を終了する。標準値としては、同様に予めアシンメトリ（評価指標Ａ）等の評価指標の許容範囲を、標準範囲として設定しておく。更に、耐震性６０６に基づく学習条件の設定を、トラッキングオフセット、フォーカスオフセット或いはチルト等のサーボ関係に限定して適用しても良い。
【０１１１】
図１５は媒体種別６０７に基づいて決定する学習条件の決定方法を示す。まず、ユーザにより液晶６に表示された媒体種別６０７からモードが選択されると（Ｓ１５０１）、ＣＰＵ７はそのモードを認識する。例えば、図７に示すように媒体種別６０７として廉価モードが選択されると（Ｓ１５０２がＹｅｓ）、ＣＰＵ７は光記録再生媒体２に記録するための条件を厳しく設定する。
【０１１２】
具体的には、記録するための条件学習において許容するアシンメトリ（評価指標Ａ）の許容範囲を小さくすることで、最適記録パワーの決定を精度良く行うようにする（Ｓ１５０３）。同様にトラッキングオフセット、フォーカスオフセット或いはチルト等の学習を精度良く行うことも可能である。別の例として、レベルジッタ（評価指標Ｂ）やエラー数（評価指標Ｃ）等の許容範囲を小さくしても良い。
【０１１３】
つまり、廉価な光記録再生媒体２を使用すると設定することによって、廉価で記録再生特性のばらつきの大きな光記録再生媒体２の使用に耐えられるように高精度な記録に必要な学習条件を設定する。
【０１１４】
これとは逆に、媒体種別６０７として推奨モードが選択されると（Ｓ１５０４がＹｅｓ）、ＣＰＵ７は光記録再生媒体２に記録するための条件を緩く設定する。具体的には、記録するための条件学習において許容するアシンメトリ（評価指標Ａ）の許容範囲を大きくすることで、最適記録パワーの決定を簡潔に行うようにする（Ｓ１５０５）。
【０１１５】
同様にトラッキングオフセット、フォーカスオフセット或いはチルト等の学習を簡潔に行うことも可能である。別の例として、レベルジッタ（評価指標Ｂ）やエラー数（評価指標Ｃ）等の許容範囲を大きくしても良い。
【０１１６】
つまり、媒体種別６０７としてユーザが推奨する光記録再生媒体２を使用すると設定することによって、記録に必要な学習条件を緩く設定して、学習条件に基づいて行う学習動作を簡潔に行うようにする。そうすることで、学習動作に費やされる時間やＯＰＣ領域及びバッテリーの浪費を軽減するものである。
【０１１７】
また、媒体種別６０７として重ね撮りと設定することによって（Ｓ１５０４がＮｏ）、記録に必要な学習条件を標準値に設定し（Ｓ１５０６）、媒体種別６０７に基づく学習条件の決定を終了する。標準値としては、同様に予めアシンメトリ（評価指標Ａ）等の評価指標の許容範囲を、標準範囲として設定しておく。更に、媒体種別６０７に基づく学習条件の設定として、重ね撮りや中古モードを設け、学習動作を行う前に光記録再生媒体２を初期化するモードを取り入れても良い。
【０１１８】
図１６はバッテリー条件６０８に基づいて決定する学習条件の決定方法を示すものである。まず、ユーザにより液晶６に表示されたバッテリー条件６０８からモードが選択されると（Ｓ１６０１）、ＣＰＵ７はそのモードを認識する。例えば、図７に示すようにバッテリー条件６０８としてＡＣモードが選択されると（Ｓ１６０２がＹｅｓ）、ＣＰＵ７は光記録再生媒体２に記録するための条件を厳しく設定する。
【０１１９】
具体的には、記録条件学習において許容するアシンメトリ（評価指標Ａ）の許容範囲を小さくすることで、記録するための最適記録パワーの決定を精度良く行うようにする（Ｓ１６０３）。同様にトラッキングオフセット、フォーカスオフセット或いはチルト等の学習を精度良く行うことも可能である。別の例として、レベルジッタ（評価指標Ｂ）やエラー数（評価指標Ｃ）等の許容範囲を小さくしても良い。
【０１２０】
つまり、ユーザがＡＣアダプタを接続した状態で光情報記録再生装置１を使用すると設定することによって、バッテリー残量に関係なく高精度な記録に必要な学習条件を設定するものである。
【０１２１】
これとは逆に、バッテリー条件６０８として節電モードが選択されると（Ｓ１６０４がＹｅｓ）、ＣＰＵ７は光記録再生媒体２に記録するための条件を緩く設定する。具体的には、記録するための条件学習において許容するアシンメトリ（評価指標Ａ）の許容範囲を大きくすることで、最適記録パワーの決定を簡潔に行うようにする（Ｓ１６０６）。
【０１２２】
同様にトラッキングオフセット、フォーカスオフセット或いはチルト等の学習を簡潔に行うことも可能である。別の例として、レベルジッタ（評価指標Ｂ）やエラー数（評価指標Ｃ）等の許容範囲を大きくしても良い。
【０１２３】
つまり、ユーザがバッテリー条件６０８として光情報記録再生装置１を節電しながらできるだけ長時間使用すると設定することによって、記録に必要な学習条件を緩く設定し、学習条件に基づいて行う学習動作を簡潔に行うようにする。そうすることで、学習動作に費やされるバッテリーの浪費を軽減するものである。
【０１２４】
また、バッテリー条件６０８として通常モードが設定された場合には（Ｓ１６０４がＮｏ）、記録に必要な学習条件を標準値に設定し（Ｓ１６０６）、バッテリー条件６０８に基づく学習条件の決定を終了する。標準値としては、同様に予めアシンメトリ（評価指標Ａ）等の評価指標の許容範囲を、標準範囲として設定しておく。
【０１２５】
以上のように学習動作を行うために必要な学習条件が、映像品質６０１、音声品質６０２、保存期間６０３、互換性６０４、起動時間６０５、耐震性６０６及び媒体種別６０７、バッテリー条件６０８等で決定する。
【０１２６】
ここで、以上の図９〜図１６で説明した学習条件の決定方法において、特にユーザからモード設定が行われ無かった場合には、アシンメトリ（評価指標Ａ）等の評価指標を標準値に設定するのが良い。
【０１２７】
また、上記説明においては個別に説明しているが、複数の条件を併用しても良い。例えば、映像品質６０１としてＸＰモード（きれい撮り）が選択され、保存期間６０３として永久モードが選択された場合には、光記録再生媒体２に記録するための条件を一層厳しく設定しても良い。
【０１２８】
更に、例えば、映像品質６０１としてＸＰモード（きれい撮り）が選択され、上述のように評価指標を小さくする場合がある。また、互換性６０４として自己録再が選択され、評価指標を大きくする場合がある。
【０１２９】
その場合には、図１７（ａ）に示すようにユーザが選択する各種条件（映像品質、音声品質、保存期間、互換性、起動時間、耐震性、媒体種別、バッテリー条件等）に対して優先順位を付けておく。図１７（ａ）の例では、映像品質の優先順位が一番高く設定されている。そして、優先順位の一番高い学習項目に対して入力された条件を優先して学習を行う。例えば、ユーザの嗜好に合わせて優先順位を付けておくことによって、利便性を兼ね備えた設定が可能となる。
【０１３０】
また、別の例として、図１７（ｂ）に示すようにユーザが選択する各種条件（映像品質、音声品質、保存期間、互換性、起動時間、耐震性、媒体種別、バッテリー条件等）に対して、優先順位並びにポイント（学習レベル）を付与しておく。例えば、ユーザの嗜好に合わせて優先順位を付けておき、更に各々の学習レベルを、例えば、３段階に設定する。学習レベルは、詳しく後述するように情報を記録又は再生する場合の記録品質又は再生品質を示す指標である。
【０１３１】
ＣＰＵ７は各設定項目の優先順位並びに３段階の学習レベルを積算することによって総合的な判断を行う。図１７（ｂ）の例では、全ての設定項目において学習レベルが最も緩い設定となっている（図中黒丸＝学習レベル１）。この場合の優先順位並びに学習レベルによる積算値は、以下の通りとなる。即ち、
（１×１）＋（２×１）＋（３×１）＋（４×１）＋（５×１）＋（６×１）＋（７×１）＋（８×１）＝３６となる。
【０１３２】
これとは逆に、全ての設定項目が最も厳しい設定となった場合には（図中白丸＝学習レベル３）、以下の通りとなる。即ち、
（１×３）＋（２×３）＋（３×３）＋（４×３）＋（５×３）＋（６×３）＋（７×３）＋（８×３）＝１０８となる。ＣＰＵ７はこの積算値に基づき学習動作を行う場合の学習条件をより細かく切り替える。
【０１３３】
なお、上記説明においては、光記録再生媒体２に記録するための学習条件としているが、光記録再生媒体２から再生するための学習条件としても適応可能である。
【０１３４】
以上のように本実施形態の光情報記録再生装置は、光記録再生媒体に光束を照射して情報の記録又は再生を行う。また、記録再生媒体への情報の記録又は再生に関する条件を入力する手段と、記録又は再生に関する所定学習項目の値を予め決められた評価指標に基づいて調整する学習を行う手段とを備えている。そして、学習手段の学習に先立って、所定学習項目を評価指標に基づいて学習する場合の学習条件を、入力手段から入力された条件に応じて切り替える。
【０１３５】
本実施形態では、所定学習項目を学習する場合の評価指標の許容範囲を入力条件に応じて切り替えることにより、学習動作に費やされる時間やＯＰＣ領域或いはバッテリーの浪費を軽減することが可能となる。
【０１３６】
次に、本発明の第２の実施形態について説明する。光記録再生装置１、光記録再生媒体２、ＰＫＵＰ３、ＡＦＥ４、ＤＳＰ５、液晶６等の構成は第１の実施形態と同様であるため説明を省略する。本実施形態に係る光情報記録再生装置のＣＰＵ７が行う代表的な制御フローについて図１８を用いて説明する。
【０１３７】
（全体動作）
図１８において、電源がＯＮされると（Ｓ１８０１）、上述のＯＰＣ動作を実行することで最適記録パワーを決定する学習動作を行う（Ｓ１８０２）。ここで、学習動作を行う場合の条件（即ち、評価指標の許容範囲）は、前回の学習時の条件や基本条件（上述の評価指標の標準値）を用いて行う。これらの条件はＣＰＵ７の不揮発性メモリに保存しておき、学習時にそれを読み出す。
【０１３８】
学習動作としては、最適記録パワーに限定するものではなく、その他にも第１の実施形態と同様に光記録再生媒体２へ記録する時に用いる記録パルス波形等を学習しても良い。これら学習動作を行うに当たっては、第１の実施形態と同様にＤＳＰ５で得られるＲＦ信号を評価するためのアシンメトリ（評価指標Ａ）、レベルジッタ（評価指標Ｂ）或いはエラー数（評価指標Ｃ）等を用いる。
【０１３９】
更に、光記録再生媒体２に対物レンズ３０１を用いて集光する場合のトラッキングオフセットやフォーカスオフセットに関しても学習を行うことが可能である。即ち、ＤＳＰ５で得られるアシンメトリ（評価指標Ａ）、レベルジッタ（評価指標Ｂ）或いはエラー数（評価指標Ｃ）等を用いてトラッキングオフセットやフォーカスオフセットを最適条件とする学習を行うことも可能である。
【０１４０】
また、第１の実施形態と同様に対物レンズ３０１と光記録再生媒体２とのチルトに関しても学習を行うことが可能である。即ち、ＤＳＰ５で得られるアシンメトリ（評価指標Ａ）、レベルジッタ（評価指標Ｂ）或いはエラー数（評価指標Ｃ）等を用いてチルトを最適条件とする学習を行うことが可能である。
【０１４１】
ここで、学習動作を行う場合には、上述のように第１の実施形態で説明したアシンメトリ（評価指標Ａ）、レベルジッタ（評価指標Ｂ）或いはエラー数（評価指標Ｃ）等の前回の学習時の条件或いは標準値を用いて学習を行う。標準値は予めアシンメトリ（評価指標Ａ）等の評価指標の許容範囲を、標準範囲として設定しておく。
【０１４２】
続いて、図７に示すように液晶６に映像品質６０１、音声品質６０２、保存期間６０３、互換性６０４、起動時間６０５、耐震性６０６、媒体種別６０７、バッテリー条件６０８等の設定入力画面を表示する（Ｓ１８０３）。また、上述の学習レベルを表示する（Ｓ１８０３）。
【０１４３】
ここで、学習レベルとは、情報記録再生媒体２に対してどの程度の記録品質或いは再生品質で情報を記録又は再生できるかを示すものである。つまり、第１の実施形態においては、図９等のフローでは評価指標を小さくする、評価指標を標準値にする、評価指標を大きくするの３段階としたが、この評価指標を小さくするが学習レベル３、評価指標を標準値にするが学習レベル２とする。
【０１４４】
また、評価指標を大きくするが学習レベル１とする。学習レベル３が最も記録又は再生品質が高く、学習レベル１が記録又は再生品質が最も低い。学習レベルは３段階に限ることなく、それ以上に設定しても良い。
【０１４５】
次に、ユーザは液晶６に表示された設定入力画面及び学習レベルを見ながら自己の嗜好等に合わせて各種設定の変更を行う（Ｓ１８０４）。即ち、映像品質６０１、音声品質６０２、保存期間６０３、互換性６０４、起動時間６０５、耐震性６０６、媒体種別６０７、バッテリー条件６０８の設定を行う。例えば、映像品質６０１としてＸＰモード（きれい撮り）が選択されたとする。各種設定の変更は、同時に複数選択可能であることが好ましく、優先順位をつけて選択しても良い。
【０１４６】
次に、ユーザによって各種設定の変更が行われた場合、先に実行した学習動作（Ｓ１８０２）時の学習レベルで、十分に光記録再生媒体２に記録が可能であるかを判断する（Ｓ１８０５）。
【０１４７】
例えば、Ｓ１８０２の学習時における学習レベルが３（最も良好）で、映像品質６０１にＸＰモード（きれい撮り）が選択された場合には、十分に光記録再生媒体２に記録ができるため、ユーザが記録を行えるスタンバイ状態で待機する（Ｓ１８０８）。
【０１４８】
一方、例えば、学習レベルが１（最も不良）で、映像品質６０１にＸＰモード（きれい撮り）が選択された場合には、十分に光記録再生媒体２に記録ができない。その場合には（Ｓ１８０５がＮｏ）、各種設定（映像品質、音声品質、保存期間、互換性、起動時間、耐震性、媒体種別、バッテリー条件）の変更内容を、ＣＰＵ７の不揮発性メモリに保存する（Ｓ１８０６）。不揮発性メモリの保存内容は次回の電源ＯＮ時の学習に初期値として利用しても良い。
【０１４９】
次いで、ユーザの嗜好等に合わせた各種設定（映像品質等）の変更に合わせて光記録再生媒体２に精度良く記録を行うため、再度学習を行う（Ｓ１８０７）。再学習を行う場合には、アシンメトリ（評価指標Ａ）等の評価指標の許容範囲を前回の学習時（Ｓ１８０２）の許容範囲（この場合は学習レベル１）より厳しく設定して学習を行う。その場合、上述のようにＸＰモード（きれい撮り）が設定されたため、それに応じて学習レベルを３に設定して再学習を行う。再学習を終了すると、ユーザが記録を行えるスタンバイ状態で待機する（Ｓ１８０８）。
【０１５０】
本実施形態では、記録又は再生に関する所定学習項目の値を予め決められた評価指標に基づいて調整する学習を行う手段と、記録再生媒体への情報の記録又は再生に関する条件を入力する手段とを備えている。そして、入力された条件に対して、学習手段の学習結果に基づく記録又は再生品質で情報を記録又は再生できない場合には、入力された条件に応じて再学習を行う。
【０１５１】
以上のように本実施形態では、第１の実施形態の効果に加えて、入力された条件に対して、学習条件を変更して再学習を行うため、ユーザの要求に応じた記録又は再生品質を維持することが可能となる。
【０１５２】
なお、上記説明において学習レベルが不十分な場合には再学習すると説明したが、学習レベルに応じて各種設定の変更を制限すると共に、再学習を省略しても良い。例えば、学習レベルが１（最も不良）である状態では、映像品質にＸＰモード（きれい撮り）を禁止しても良い。また、上記説明では光記録再生媒体２に記録するための学習としているが、光記録再生媒体２から再生するための学習としても適応可能である。
【図面の簡単な説明】
【０１５３】
【図１】本発明に係る光情報記録再生装置の第１の実施形態を示すブロック図である。
【図２】図１のＰＫＵＰの一例を示す図である。
【図３】図１の対物レンズとトラッキングコイル及びフォーカスコイルを示す図である。
【図４】図１のＡＦＥの一例を示す図である。
【図５】図１のＤＳＰの一例を示す図である。
【図６】ＲＦ信号振幅のトラッキンクセオフセット、フォーカスオフセット、チルト及び記録パワー依存性を示す図である。
【図７】図１の液晶における各種条件入力画面の一例を示す図である。
【図８】図１の装置の全体動作を示すフローチャートである。
【図９】映像品質に基づく学習条件の決定方法を示すフローチャートである。
【図１０】音声品質に基づく学習条件の決定方法を示すフローチャートである。
【図１１】保存期間に基づく学習条件の決定方法を示すフローチャートである。
【図１２】互換性に基づく学習条件の決定方法を示すフローチャートである。
【図１３】起動時間に基づく学習条件の決定方法を示すフローチャートである。
【図１４】耐震性に基づく学習条件の決定方法を示すフローチャートである。
【図１５】媒体品質に基づく学習条件の決定方法を示すフローチャートである。
【図１６】バッテリー条件に基づく学習条件の決定方法を示すフローチャートである。
【図１７】設定項目の優先順位と総合評価を説明する図である。
【図１８】本発明の第２の実施形態の動作を示すフローチャートである。
【図１９】光記録再生媒体の構成を示す図である。
【図２０】従来例のＯＰＣ動作を示すフローチャートである。
【符号の説明】
【０１５４】
１  光情報記録再生装置
２  光記録再生媒体
３  ＰＫＵＰ
４  ＡＦＥ
５  ＤＳＰ
６  液晶
７  ＣＰＵ
３０１  対物レンズ
３０２  ビームスプリッタ
３０３  半導体レーザ
３０４  半導体レーザ駆動回路
３０５  分割センサ
３０６  トラッキングコイル
３０７Ａ、３０７Ｂ  フォーカスコイル
【図１】
2009037664.tif 000003
【図２】
2009037664.tif 000004
【図３】
2009037664.tif 000005
【図４】
2009037664.tif 000006
【図５】
2009037664.tif 000007
【図６】
2009037664.tif 000008
【図７】
2009037664.tif 000009
【図８】
2009037664.tif 000010
【図９】
2009037664.tif 000011
【図１０】
2009037664.tif 000012
【図１１】
2009037664.tif 000013
【図１２】
2009037664.tif 000014
【図１３】
2009037664.tif 000015
【図１４】
2009037664.tif 000016
【図１５】
2009037664.tif 000017
【図１６】
2009037664.tif 000018
【図１７】
2009037664.tif 000019
【図１８】
2009037664.tif 000020
【図１９】
2009037664.tif 000021
【図２０】
2009037664.tif 000022